(57)【要約】    【課題】  複数の測温点において温度を測定するための温度測定装置の複数のセンサ電線を適切に結束し、測定の準備段階や測定後において電線が互いに絡み合うことを防止できるセンサ電線結束具を提供する。    【解決手段】  温度測定装置は、複数箇所の温度を測定するための複数の温度センサ３０〜３９と、温度センサ３０〜３９の検出信号が入力される本体部１と、温度センサ３０〜３９と本体部１とを接続する複数の電線３と、電線３を結束するコネクタ部２及び第１及び第２結束部材４，５とを備える。電線３はコネクタ部２、第１及び第２結束部材４，５により結束され、第１結束部材４はコネクタ部２の近傍に固定され、第２結束部材５は第１結束部材４と温度センサ３０〜３９との間において摺動可能に配置されている。【選択図】  図１
2010104128.tif 000002
【特許請求の範囲】
【請求項１】
複数箇所の温度を測定するための複数の温度センサと、該複数の温度センサの検出信号が入力される本体部と、前記複数の温度センサと前記本体部とを接続する複数の電線とを備える温度測定装置の前記複数の電線を束ねる、温度測定装置のセンサ電線結束具であって、
前記複数の電線を前記本体部に接続するためのコネクタ部と、
前記電線が貫通する複数の貫通路を有する第１部材及び第２部材とからなり、
前記第１部材は、前記電線が貫通した状態で前記コネクタ部近傍に前記電線に対して固定して配置され、
前記第２部材は、前記第１部材と、前記温度センサとの間において前記電線が貫通した状態で摺動可能に配置されていることを特徴とする温度測定装置のセンサ電線結束具。
【請求項２】
前記複数の温度センサの測温点を示す記号が、前記複数の温度センサに対応させて前記第２部材に表示されていることを特徴とする請求項１に記載の温度測定装置のセンサ電線結束具。
【発明の詳細な説明】
【技術分野】
【０００１】
本発明は、複数の測温点において温度を測定するための温度測定装置に適用される、複数のセンサ電線を結束するためのセンサ電線結束具に関する。
【背景技術】
【０００２】
特許文献１には、複数の測温点において温度を測定するための温度測定装置が示されている。例えば車両の空調装置の試験を行う場合には、このような温度測定装置を用いて複数の測温点において温度を同時に測定することにより、各測温点における温度推移データを取得することが行われる。
【０００３】
【特許文献１】特開平４−５５７２１号公報
【発明の開示】
【発明が解決しようとする課題】
【０００４】
上述したような試験において温度センサと測定装置本体とを接続する電線は数が多くしかもかなり長くなるため、測定の準備段階や測定後において電線が互いに絡み易く、取り扱いに手間取るという課題があった。
【０００５】
本発明はこの点に着目してなされたものであり、複数の測温点において温度を測定するための温度測定装置の複数のセンサ電線を適切に結束し、測定の準備段階や測定後において電線が互いに絡み合うことを防止できるセンサ電線結束具を提供することを目的とする。
【課題を解決するための手段】
【０００６】
上記目的を達成するため請求項１に記載の発明は、複数箇所の温度を測定するための複数の温度センサ（３０〜３９）と、該複数の温度センサ（３０〜３９）の検出信号が入力される本体部（１）と、前記複数の温度センサ（３０〜３９）と前記本体部（１）とを接続する複数の電線（３）とを備える温度測定装置の前記複数の電線（３）を束ねる、温度測定装置のセンサ電線結束具（４，５）であって、前記複数の電線（３）を前記本体部（１）に接続するためのコネクタ部（２）と、前記電線（３）が貫通する複数の貫通路（５０〜５９）を有する第１部材（４）及び第２部材（５）とからなり、前記第１部材（４）は、前記電線（３）が貫通した状態で前記コネクタ部（２）近傍に前記電線（３）に対して固定して配置され、前記第２部材（５）は、前記第１部材（４）と、前記温度センサ（３０〜３９）との間において前記電線（３）が貫通した状態で摺動可能に配置されていることを特徴とするセンサ電線結束具を提供する。
【０００７】
請求項２に記載の発明は、請求項１に記載の温度測定装置のセンサ電線結束具において、前記複数の温度センサ（３０〜３９）の測温点を示す記号が、前記複数の温度センサ（３０〜３９）に対応させて前記第２部材（５）に表示されているたことを特徴とする。
【０００８】
また前記電線（３）は、前記温度センサ（３０〜３９）に接続され、比較的短い第１部分（３ａ）と、前記コネクタ部（２）に接続され、比較的長い第２部分（３ｂ）と、前記第１部分及び第２部分を接続するコネクタ（３ｃ）とからなり、前記第２部材（５）は前記第１部材（４）と前記コネクタ（３ｃ）との間において摺動可能に配置されるように構成してもよい。この構成よれば、電線３の第１部分が接続されている温度センサを予め測温点に配置し、その後にコネクタを介して第１部分と第２部分とを接続することができるので、作業性をより向上させることができる。
【発明の効果】
【０００９】
請求項１に記載の発明によれば、温度測定の準備段階あるいは測定終了後においては、第２部材を温度センサ近傍に配置することにより、複数の電線が絡み合うことを防止することができる。また温度測定実行時は、第２部材を第１部材の近傍に配置することにより、複数の温度センサを対応する各測温点に取り付ける作業を容易にすることができる。
【００１０】
請求項２に記載の発明によれば、第２部材に複数の温度センサの測温点を示す記号が表示されるので、各温度センサの取り付け箇所を測定者が容易に認識することができ、作業性を向上させることができる。
【発明を実施するための最良の形態】
【００１１】
以下本発明の実施の形態を図面を参照して説明する。
図１は本発明の一実施形態にかかる温度測定装置の構成を示す図であり、この温度測定装置は、熱電対で構成された１０個の温度センサ３０〜３９と、本体部１と、温度センサ３０〜３９の検出信号を本体部１へ供給するための１０本の電線３と、電線３を本体部１に接続するためのコネクタ部２と、電線３を結束する第１結束部材４及び第２結束部材５とを備えている。図２は、結束部材４，５が装着されていない状態のコネクタ部２、電線３、及び温度センサ３０〜３９を示す。
【００１２】
本体部１は、コネクタ部２が挿入されるコネクタ挿入部、温度を測定する測定時刻を特定するための時計、測定した温度値を記憶する記憶部、測定した温度値を表示する表示部、測定者が操作するための操作部などを備えている。
【００１３】
図３は第１及び第２結束部材４，５の斜視図、図４は第２結束部材５の横断面図であり、第１結束部材４の基本構造は第２結束部材５と同一であり、長さのみ異なる。図４に示すように、第２結束部材５は、円筒状の外形を有し、１０本の電線３が貫通する貫通路５０〜５９を有し、貫通路５０〜５９は円環状に配置されている。図５は電線３が貫通している状態を示している。第２結束部材５の、温度センサが取り付けられる側（図５の右側）には、１０個の温度センサ３０〜３９に対応した番号１，２，３，…，１０が表示されている。この表示により、温度センサ３０〜３９の取り付け箇所を測定者が容易に認識することができ、作業性を向上させることができる。なお、番号１，２，３，…，は、例えばａ，ｂ，ｃ，…，などの文字記号を用いてもよい。
【００１４】
第１結束部材４は、図６に示すように電線３が貫通した状態でコネクタ部２の近傍に例えば接着剤を用いて固定して配置される。第２結束部材５は、電線３が貫通した状態で第１結束部材４と温度センサ３０〜３９との間において摺動可能に配置される。したがって、温度測定の準備段階あるいは測定終了後は、図６（ａ）に示すように、第２結束部材５を温度センサ３０〜３９の近傍に配置することにより、複数の電線が絡み合うことを防止することができる。また温度測定を実行するときは、第２結束部材５を第１結束部材４の近傍に配置することにより、温度センサ３０〜３９を対応する各測温点に取り付ける作業を容易にすることができる。
【００１５】
なお本発明は上述した実施形態に限るものではなく、種々の変形が可能である。例えば、電線３は、図７に示すように、温度センサ３０に接続され、比較的短い第１部分３ａと、コネクタ部２に接続され、比較的長い第２部分３ｂと、第１部分３ａ及び第２部分３ｂを接続するコネクタ３ｃとからなるように構成するようにしてもよい。図７は温度センサ３０についてのみ示すが、他の温度センサ３１〜３９及び対応する電線３についても同様とする。この場合には、第２結束部材５は、第１結束部材４とコネクタ３ｃとの間において摺動可能に配置される。この構成よれば、第１部分３ａが接続されている温度センサ３０〜３９を予め測温点に配置し、その後にコネクタ３ｃを介して第１部分３ａと第２部分３ｂとを接続することができるので、作業性をより向上させることができる。
【００１６】
また温度センサ及び対応する電線の数は上述した１０個に限るものではなく、少なくとも２個以上の場合に本発明を適用することができる。結束部材４，５の貫通路の数は、温度センサの数と同一とすることが望ましいが、温度センサの数より多くてもよい。
【００１７】
また結束部材４，５は、必ずしも円筒形状とする必要はなく、例えば図８に示すように、横断面において貫通路が楕円形状、あるいは矩形状に配置されるようにしてもよい。
【図面の簡単な説明】
【００１８】
【図１】本発明の一実施形態にかかる温度測定装置の構成を示す図である。
【図２】図１に示す装置の一部を示す図である。
【図３】結束部材の斜視図である。
【図４】結束部材の横断面図である。
【図５】結束部材に電線が貫通した状態を示す斜視図である。
【図６】結束部材の配置を示す図である。
【図７】電線の変形例を示す図である。
【図８】結束部材の変形例を示す横断面図である。
【符号の説明】
【００１９】
１  本体部
２  コネクタ部
３  電線
４  第１結束部材（センタ電線結束具、第１部材）
５  第２結束部材（センタ電線結束具、第２部材）
３０〜３９  温度センサ
【図１】
2010104128.tif 000003
【図２】
2010104128.tif 000004
【図３】
2010104128.tif 000005
【図４】
2010104128.tif 000006
【図５】
2010104128.tif 000007
【図６】
2010104128.tif 000008
【図７】
2010104128.tif 000009
【図８】
2010104128.tif 000010